(57)【要約】【課題】液晶モジュールを備えたテレビジョン受像機において、効率よく低廉にホワイトバランスを調整する。【解決手段】Ｒ、Ｇ、Ｂの調整係数を入力する操作キー４、リモコン５またはＲＳ２３２Ｃシリアル通信手段１２と、調整係数に基づいてガンマテーブルを書き換えるマイコン７を備える。液晶モジュール１１上のパターン映像の色度が目標の色度になったときに、その調整係数を調整確定値として記憶するＲＧＢ調整係数メモリ８を備える。調整確定値をガンマテーブルに反映して調整用ガンマテーブルを作成するマイコン７と、調整用ガンマテーブルに基づいてガンマ処理するガンマ処理装置１０を備える。これにより、通常の映像処理で使用されるガンマテーブルを使って、ホワイトバランス調整に必要なパターンを出力することが可能となる。【選択図】図１
2006325014.tif 000002
【特許請求の範囲】
【請求項１】
Ｒ、Ｇ、Ｂごとに独立したガンマテーブルを用いて映像信号がガンマ処理され、液晶モジュールに出力されるテレビジョン受像機であって、
Ｒ、Ｇ、Ｂの調整係数を入力する調整係数入力手段と、
前記調整係数に基づいて前記ガンマテーブルを書き換えるテーブル書換手段と、
前記液晶モジュール上のパターン映像の色度が目標の色度になったときに当該調整係数を調整確定値として記憶するメモリ手段と、
前記調整確定値を前記ガンマテーブルに反映して調整用ガンマテーブルを作成するテーブル作成手段と、
前記調整用ガンマテーブルに基づいてガンマ処理するガンマ処理手段と
を備えたことを特徴とするテレビジョン受像機。
【請求項２】
Ｒ、Ｇ、Ｂごとに独立したガンマテーブルを用いて映像信号がガンマ処理され、液晶モジュールに出力されるテレビジョン受像機においてホワイトバランスを調整する際に、
Ｒ、Ｇ、Ｂの調整係数を入力する調整係数入力工程と、
前記調整係数に基づいて前記ガンマテーブルを書き換えるテーブル書換工程と、
前記液晶モジュール上のパターン映像の色度が目標の色度になったときに当該調整係数を調整確定値として記憶するメモリ工程と、
前記調整確定値を前記ガンマテーブルに反映して調整用ガンマテーブルを作成するテーブル作成工程と、
前記調整用ガンマテーブルに基づいてガンマ処理するガンマ処理工程と
を含むことを特徴とするホワイトバランス調整方法。
【請求項３】
前記パターン映像の色度を測定する色度測定工程を含むことを特徴とする請求項２に記載のホワイトバランス調整方法。
【発明の詳細な説明】
【技術分野】
【０００１】
本発明は、液晶モジュールを備えたテレビジョン受像機と、そのテレビジョン受像機におけるホワイトバランス調整方法に関するものである。
【背景技術】
【０００２】
従来、この種のテレビジョン受像機においては、液晶パネルの液晶膜厚やバックライトの色に起因して、液晶モジュールに出力される映像の色度にバラツキが生じる恐れがある。これに対処するためには、通常視聴に先立ち、図２に示すように、リニアな入出力特性を持つガンマテーブルを使って映像信号をガンマ処理することにより、ホワイトバランスを調整する必要がある。
【０００３】
このようなホワイトバランス調整を行う場合、一般的には、外部から調整用パターンを入力し、液晶モジュールに出力されるパターン映像を色度計などで計測し、色度のバラツキを補正する手法（以下、パターン外部入力調整方法という。）が多用されている（例えば、特許文献１参照）。
【０００４】
また、外部から調整用パターンを入力しなくて済むように、内部に調整用パターンを持ち、その映像で調整する手法（以下、パターン内部発生調整方法という。）もある。
【特許文献１】特開平１０−１３３１６３号公報
【発明の開示】
【発明が解決しようとする課題】
【０００５】
しかし、これらの手法では、それぞれ次のような不都合があった。
【０００６】
まず、パターン外部入力調整方法では、調整用パターンを出力する信号発生器を用意する必要があり、調整作業者（サービスマンなど）がその信号を常に持ち歩かなければならず、効率が悪い。また、その信号発生器の出力は常に校正しておく必要があり、その管理にコストがかかる。
【０００７】
一方、パターン内部発生調整方法では、信号発生器を用意する必要はないが、製品内部に調整用パターンを内蔵しなければならないため、パターンを記憶するメモリを必要とし、そのためのコストが発生する。そして、記憶しておくパターン数が増加すれば、その分メモリを増設する必要があり、コストがますます増大する。
【０００８】
本発明は、こうした不都合を解消することが可能な、テレビジョン受像機およびホワイトバランス調整方法を提供することを目的とする。
【課題を解決するための手段】
【０００９】
まず、請求項１に係るテレビジョン受像機の発明は、Ｒ、Ｇ、Ｂごとに独立したガンマテーブルを用いて映像信号がガンマ処理され、液晶モジュールに出力されるテレビジョン受像機であって、Ｒ、Ｇ、Ｂの調整係数を入力する調整係数入力手段と、前記調整係数に基づいて前記ガンマテーブルを書き換えるテーブル書換手段と、前記液晶モジュール上のパターン映像の色度が目標の色度になったときに当該調整係数を調整確定値として記憶するメモリ手段と、前記調整確定値を前記ガンマテーブルに反映して調整用ガンマテーブルを作成するテーブル作成手段と、前記調整用ガンマテーブルに基づいてガンマ処理するガンマ処理手段とを備えたことを特徴とする。
また、請求項２に係るホワイトバランス調整方法の発明は、Ｒ、Ｇ、Ｂごとに独立したガンマテーブルを用いて映像信号がガンマ処理され、液晶モジュールに出力されるテレビジョン受像機においてホワイトバランスを調整する際に、Ｒ、Ｇ、Ｂの調整係数を入力する調整係数入力工程と、前記調整係数に基づいて前記ガンマテーブルを書き換えるテーブル書換工程と、前記液晶モジュール上のパターン映像の色度が目標の色度になったときに当該調整係数を調整確定値として記憶するメモリ工程と、前記調整確定値を前記ガンマテーブルに反映して調整用ガンマテーブルを作成するテーブル作成工程と、前記調整用ガンマテーブルに基づいてガンマ処理するガンマ処理工程とを含むことを特徴とする。
また、請求項３に係るホワイトバランス調整方法の発明は、前記パターン映像の色度を測定する色度測定工程を含むことを特徴とする。
【発明の効果】
【００１０】
本発明によれば、通常の映像処理で使用されるガンマテーブルを使って、ホワイトバランス調整に必要なパターンを出力できることから、従来のホワイトバランス調整方法（パターン外部入力調整方法、パターン内部発生調整方法）と比べて効率よく低廉にホワイトバランスを調整することが可能となる。
【発明を実施するための最良の形態】
【００１１】
以下、本発明の実施形態を図面に基づいて説明する。
【００１２】
テレビジョン受像機１は、図１に示すように、入力されたアナログ映像信号をデジタル映像データに変換するＡ／Ｄ変換器２と、このＡ／Ｄ変換器２でデジタル化された映像のコントラストや色あいなどの映像加工をする映像処理装置３と、この映像処理装置３にて加工された映像信号の輝度レベルに応じて出力輝度を変換するルックアップテーブルを持つガンマ処理装置１０と、映像を表示するための液晶モジュール１１とを有している。映像処理装置３にはマイコン（マイクロコンピュータ）７が接続されている。マイコン７には、操作キー４と、ＲＳ２３２Ｃシリアル通信手段１２と、リモコン受光部６と、ホワイトバランス調整によって決定される調整係数を保存し、通常時は調整係数が読み出されるＲＧＢ調整係数メモリ８と、通常視聴時に使用するガンマテーブルとホワイトバランス調整係数を基に生成されるガンマテーブルをガンマ処理装置１０に転送するためのバッファとして使用される、通常時と調整時共用のガンマテーブルメモリ９とが接続されている。リモコン受光部６は、リモコン５からの信号に基づいてマイコン７に各種の制御信号を出力する。ガンマテーブルメモリ９には、Ｒ、Ｇ、Ｂごとに独立したガンマテーブルが格納されている。
【００１３】
テレビジョン受像機１は以上のような構成を有するので、このテレビジョン受像機１においてホワイトバランス調整を実施する際には、次に述べるとおり、図６に示すホワイトバランス調整フローチャートＦＣに基づき、マイコン７および調整作業者が各種の動作を実行する。
【００１４】
まず、調整工程に入り（ホワイトバランス調整フローチャートＦＣのステップＳ１）、マイコン７は、映像処理装置３に対して、マイコンソフトバージョン、各種の映像調整項目などの表示を指令する。これを受けて映像処理装置３は、マイコンソフトバージョン、各種の映像調整項目などを液晶モジュール１１に表示する（ホワイトバランス調整フローチャートＦＣのステップＳ２）。
【００１５】
次いで、マイコン７は、リモコン５上のホワイトバランス調整開始キーが押されたか否かの判定動作に入る（ホワイトバランス調整フローチャートＦＣのステップＳ３）。そして、マイコン７は、このホワイトバランス調整開始キーが押されたと判定すると、調整係数をＲＧＢ調整係数メモリ８から読み出し（ホワイトバランス調整フローチャートＦＣのステップＳ４）、ガンマテーブルの修正処理を行う（ホワイトバランス調整フローチャートＦＣのステップＳ５）。ここで、ガンマテーブルの修正処理とは、ＲＧＢ調整係数メモリ８から読み出された調整係数を使い、調整用ガンマテーブルを生成することを意味する。図３に示すとおり、入力に対して出力が一定になるようにガンマテーブルを生成する。生成されたガンマテーブルはガンマテーブルメモリ９に展開され、ガンマ処理装置１０に転送される。未調整時はＲ、Ｇ、Ｂが同じ値であるので、図３に示すように、Ｒ、Ｇ、Ｂいずれも同じ出力のガンマテーブルが生成される。図３に示すように、入力に対し出力が一定「４８」のガンマテーブルをガンマ処理装置１０に設定した場合、出力される映像は、ガンマテーブルメモリ９で設定された一定の出力が液晶モジュール１１の画面全体に均一の輝度パターン（ラスター映像）を表示する（ホワイトバランス調整フローチャートＦＣのステップＳ６）。
【００１６】
次に、調整作業者は、この調整用ガンマテーブルが設定されたガンマ処理装置１０を通って液晶モジュール１１に出力された映像の色度を色度計（図示せず）で計測し、目的の色度座標になるように、Ｒ、Ｇ、Ｂの値を操作キー４、ＲＳ２３２Ｃシリアル通信手段１２またはリモコン５の調整係数入力手段を使って調整係数を変更する。そして、調整作業者は、色度計の出力ｘｙ（色度図座標）が目標となる値に達したか否かを判定する。例えば、目標値がｘ＝０．３００、ｙ＝０．３００であるとき、それに対して±０．００５以内であれば目標に達したと判断する。
【００１７】
このとき、マイコン７は、Ｒ、Ｇ、Ｂの調整係数のいずれかに変更があるか否かをチェックしており（ホワイトバランス調整フローチャートＦＣのステップＳ７）、変更ありと判定した場合、変更値をＲＧＢ調整係数メモリ８に記憶し（ホワイトバランス調整フローチャートＦＣのステップＳ８）、再び調整係数の読み出し処理（ホワイトバランス調整フローチャートＦＣのステップＳ４）に戻る。図４は、こうした変更があったガンマテーブルを例示するものであり、Ｇ、Ｂの出力値「４８」に比べてＲの出力値が「４０」と低く設定されている。そして、ガンマテーブルの修正処理（ホワイトバランス調整フローチャートＦＣのステップＳ５）を再度実行し、調整係数が変更されたガンマテーブルの出力値が反映されたラスター映像を液晶モジュール１１に出力する（ホワイトバランス調整フローチャートＦＣのステップＳ６）。
【００１８】
そして、調整作業者は、調整係数が反映された映像を色度計で再び計測し、目標の色度になるまで繰り返し調整係数の変更を行う。そして、目標の色度になったときの調整係数を調整確定値とする。
【００１９】
なお、ホワイトバランス調整を実施するポイントとしては、映像レベルを２５５階調とした場合、図２に示すように、低階調側調整点（例えば、「４８」）と高階調側調整点（例えば、「２００」）の２点で調整を行い、入力される映像レベル全体のホワイトバランス調整を実施する。ここで、調整ポイントは、図２では「４８」「２００」の２点であるが、任意数設定することができる。きめ細かな調整をする場合、調整ポイントを増やすことで映像信号レベル全域で液晶モジュールの色のバラツキを抑えることも可能である。調整ポイントが増えると、ＲＧＢ調整係数メモリ８の調整係数保存領域が増えることになるが、調整パターンはガンマテーブルの出力値を変化させて一定の出力にするだけであり、調整パターンの増加によるメモリの増設は不要である。また、液晶モジュールの特性によって、調整ポイントを色バラツキの大きいポイントに絞って２〜４点程度で調整し、全体のバラツキを抑える方法もある。
【００２０】
ここで、ホワイトバランス調整作業が終了し、目標の色度が得られる。
【００２１】
こうしてホワイトバランス調整作業が終わった後、通常視聴状態においては、アナログの映像信号がＡ／Ｄ変換器２でデジタル信号に変換され、映像処理装置３で映像処理され、ガンマ処理装置１０でガンマ処理された後、液晶モジュール１１に出力される。
【００２２】
このとき、マイコン７は、ＲＧＢ調整係数メモリ８から調整確定値を読み出し、この調整確定値をガンマテーブルに反映する。すると、ガンマテーブルの入出力特性が適宜変更されて、調整用ガンマテーブルが作成された後、ガンマ処理装置１０でのガンマ処理時に使用される。図５は調整用ガンマテーブルの一例を示すものであり、Ｇ、Ｂの出力値に比べてＲの出力値が低く設定されている。その結果、通常視聴状態において、液晶モジュール１１の色度のバラツキが補正された映像を出力することができる。
【００２３】
このように、通常視聴時に使用されるガンマテーブルを使って、ホワイトバランス調整に必要なパターンを出力できることから、従来のホワイトバランス調整方法（パターン外部入力調整方法、パターン内部発生調整方法）と比べて効率よく低廉にホワイトバランスを調整することが可能となる。
【図面の簡単な説明】
【００２４】
【図１】本発明に係るテレビジョン受像機の制御ブロック図である。
【図２】無調整時のガンマテーブルの入出力特性を示すグラフである。
【図３】ホワイトバランスの調整開始時におけるガンマテーブルの入出力特性を示すグラフである。
【図４】ホワイトバランスの調整完了後におけるガンマテーブルの入出力特性を示すグラフである。
【図５】ホワイトバランス調整係数が反映されたガンマテーブルの入出力特性を示すグラフである。
【図６】ホワイトバランス調整フローチャートを示す図である。
【符号の説明】
【００２５】
１……テレビジョン受像機
２……Ａ／Ｄ変換器
３……映像処理装置
４……操作キー（調整係数入力手段）
５……リモコン（調整係数入力手段）
７……マイコン（テーブル書換手段、テーブル作成手段）
８……ＲＧＢ調整係数メモリ（メモリ手段）
１０……ガンマ処理装置（ガンマ処理手段）
１１……液晶モジュール
１２……ＲＳ２３２Ｃシリアル通信手段（調整係数入力手段）
ＦＣ……ホワイトバランス調整フローチャート
【図１】
2006325014.tif 000003
【図２】
2006325014.tif 000004
【図３】
2006325014.tif 000005
【図４】
2006325014.tif 000006
【図５】
2006325014.tif 000007
【図６】
2006325014.tif 000008